(57)【特許請求の範囲】
【請求項１】
水中を浮遊可能に設けられると共に前後方向にかつ上下方向に延びて水中を左右に分断し、前後方向に向って列状に設けられる複数の拡散防止膜と、前後方向で隣り合う上記拡散防止膜の互いの対向部同士を互いに連結する連結手段と、この連結手段に一端部が連結され、他端部が水底側に連結される索条体とを備えた水中における汚濁水の拡散防止装置において、
上記連結手段が、上記各対向部からそれぞれ左右外側方に突出する突出片と、左右のそれぞれ前、後突出片間に跨って介設される支持片と、左右のそれぞれ前、後突出片に成形された第１貫通孔と上記支持片の左右各端部に成形された第２貫通孔とにそれぞれ挿通されるボルトを有して上記索条体の一端部を連結させる左右一対のシャックルとを備え、これら左右シャックルのうち、いずれか一方のシャックルと上記拡散防止膜とが左右方向で離反したとき、上記各シャックルのボルトと各第２貫通孔の内周面とがそれぞれ圧接すると共に、他方のシャックルのボルトと両第１貫通孔の内周面とがそれぞれ圧接して、それ以上の上記離反が阻止されるようにした水中における汚濁水の拡散防止装置。
【請求項２】
水中を浮遊可能に設けられると共に前後方向にかつ上下方向に延びて水中を左右に分断し、前後方向に向って列状に設けられる複数の拡散防止膜と、前後方向で隣り合う上記拡散防止膜の互いの対向部同士を互いに連結する連結手段と、この連結手段に一端部が連結され、他端部が水底側に連結される索条体とを備えた水中における汚濁水の拡散防止装置において、
上記連結手段が、上記各対向部からそれぞれ左右外側方に突出する突出片と、左右のそれぞれ前、後突出片間に跨って介設される支持片と、左右のそれぞれ前、後突出片に成形された第１貫通孔と上記支持片の左右各端部に成形された第２貫通孔とにそれぞれ挿通されるボルトを有して上記索条体の一端部を連結させる左右一対のシャックルとを備え、これら左右シャックルのうち、いずれか一方のシャックルと上記拡散防止膜とが左右方向で離反したとき、上記各シャックルのボルトと各第２貫通孔の内周面とがそれぞれ圧接すると共に、他方の上記両突出片の各一部分に上記支持片の一部分がそれぞれ圧接して、それ以上の上記離反が阻止されるようにした水中における汚濁水の拡散防止装置。
【請求項３】
水中を浮遊可能に設けられると共に前後方向にかつ上下方向に延びて水中を左右に分断し、前後方向に向って列状に設けられる複数の拡散防止膜と、前後方向で隣り合う上記拡散防止膜の互いの対向部同士を互いに連結する連結手段と、この連結手段に一端部が連結され、他端部が水底側に連結される索条体とを備えた水中における汚濁水の拡散防止装置において、
上記連結手段が、上記各対向部からそれぞれ左右外側方に突出する突出片と、左右のそれぞれ前、後突出片間に介設される支持片と、上記両突出片と支持片とを互いに着脱可能に固着する固着具と、上記支持片の左右各端部に着脱可能に連結されると共に、上記索条体の一端部を連結させる左右一対のシャックルとを備えた水中における汚濁水の拡散防止装置。
【発明の詳細な説明】
【０００１】
【発明が属する技術分野】
本発明は、海岸や河川の埋立地や浚渫地等の水域で生じる汚濁水が、これに隣接する他の清浄な水域に拡散しようとすることを防止する水中における汚濁水の拡散防止装置に関するものである。
【０００２】
【従来の技術】
【０００３】
【特許文献１】
特開２０００−５４３５５号公報
【０００４】
上記水中における汚濁水の拡散防止装置には、従来、上記特許文献１で示されるものがある。これによれば、上記装置は、海岸の埋立地における海水中を浮遊可能に設けられると共に前後方向にかつ上下方向に延びて水中を左右に分断し、前後方向に向って列状に設けられる複数の拡散防止膜と、前後方向で隣り合う上記拡散防止膜の互いの対向部同士を互いに連結する連結手段と、この連結手段に一端部が連結され、他端部が水底側に連結される索条体とを備えている。
【０００５】
また、上記連結手段は、上記各対向部にそれぞれ連結されると共に上記索条体の一端部を連結させるシャックルとを備えている。
【０００６】
上記拡散防止膜が水流によって左右のいずれか一方側に流動させられようとするときには、上記拡散防止膜の他方側に位置するシャックルと索条体とが上記拡散防止膜を引張して、上記一方側への流動を規制する。このようにして、所定位置に係留された上記各拡散防止膜が、埋立地における汚濁水の発生水域と、清浄な他の水域とを左右に分断して、上記汚濁水の発生水域で生じる汚濁水が清浄な他の水域に上記水流と共に拡散するということを防止する。
【０００７】
【発明が解決しようとする課題】
ところで、上記従来の技術におけるシャックルは上記拡散防止膜の対向部に連結されてこの拡散防止膜の近傍に配置されている。このため、この拡散防止膜が水流によって左右に揺れ動くとき、この拡散防止膜に対し上記シャックルが摩擦接触して上記拡散防止膜が短期で損耗するという寿命上の問題点を生じるおそれがある。
【０００８】
本発明は、上記のような事情に注目してなされたもので、拡散防止装置の寿命の向上を達成させるようにすることを課題とする。
【０００９】
【課題を解決するための手段】
上記課題を解決するための本発明の水中における汚濁水の拡散防止装置は、次の如くである。なお、この項において各用語に付記した符号は、本発明の技術的範囲を後述の「発明の実施の形態」の項の内容に限定解釈するものではない。
【００１０】
請求項１の発明は、図１〜３に例示するように、水中を浮遊可能に設けられると共に前後方向にかつ上下方向に延びて水中を左右に分断し、前後方向に向って列状に設けられる複数の拡散防止膜６と、前後方向で隣り合う上記拡散防止膜６の互いの対向部７，７同士を互いに連結する連結手段８と、この連結手段８に一端部９が連結され、他端部１０が水底側に連結される索条体１２とを備えた水中における汚濁水の拡散防止装置において、
【００１１】
上記連結手段８が、上記各対向部７，７からそれぞれ左右外側方に突出する突出片１９と、左右のそれぞれ前、後突出片１９，１９間に跨って介設される支持片２０と、左右のそれぞれ前、後突出片１９，１９に成形された第１貫通孔２１，２１と上記支持片２０の左右各端部に成形された第２貫通孔２２，２２とにそれぞれ挿通されるボルト２８を有して上記索条体１２の一端部９を連結させる左右一対のシャックル２３，２３とを備え、これら左右シャックル２３，２３のうち、いずれか一方のシャックル２３と上記拡散防止膜６とが左右方向で離反したとき、上記各シャックル２３のボルト２８と各第２貫通孔２２の内周面とがそれぞれ圧接すると共に、他方のシャックル２３のボルト２８と両第１貫通孔２１の内周面とがそれぞれ圧接して、それ以上の上記離反が阻止されるようにしたものである。
【００１２】
請求項２の発明は、図４，５に例示するように、水中を浮遊可能に設けられると共に前後方向にかつ上下方向に延びて水中を左右に分断し、前後方向に向って列状に設けられる複数の拡散防止膜６と、前後方向で隣り合う上記拡散防止膜６の互いの対向部７，７同士を互いに連結する連結手段８と、この連結手段８に一端部９が連結され、他端部１０が水底側に連結される索条体１２とを備えた水中における汚濁水の拡散防止装置において、
【００１３】
上記連結手段８が、上記各対向部７，７からそれぞれ左右外側方に突出する突出片１９と、左右のそれぞれ前、後突出片１９，１９間に跨って介設される支持片２０と、左右のそれぞれ前、後突出片１９，１９に成形された第１貫通孔２１，２１と上記支持片２０の左右各端部に成形された第２貫通孔２２，２２とにそれぞれ挿通されるボルト２８を有して上記索条体１２の一端部９を連結させる左右一対のシャックル２３，２３とを備え、これら左右シャックル２３，２３のうち、いずれか一方のシャックル２３と上記拡散防止膜６とが左右方向で離反したとき、上記各シャックル２３のボルト２８と各第２貫通孔２２の内周面とがそれぞれ圧接すると共に、他方の上記両突出片１９，１９の各一部分３１に上記支持片２０の一部分３２がそれぞれ圧接して、それ以上の上記離反が阻止されるようにしたものである。
【００１４】
請求項３の発明は、図６，７に例示するように、水中を浮遊可能に設けられると共に前後方向にかつ上下方向に延びて水中を左右に分断し、前後方向に向って列状に設けられる複数の拡散防止膜６と、前後方向で隣り合う上記拡散防止膜６の互いの対向部７，７同士を互いに連結する連結手段８と、この連結手段８に一端部９が連結され、他端部１０が水底側に連結される索条体１２とを備えた水中における汚濁水の拡散防止装置において、
【００１５】
上記連結手段８が、上記各対向部７，７からそれぞれ左右外側方に突出する突出片１９と、左右のそれぞれ前、後突出片１９，１９間に介設される支持片２０と、上記両突出片１９,１９と支持片２０とを互いに着脱可能に固着する固着具３６と、上記支持片２０の左右各端部に着脱可能に連結されると共に、上記索条体１２の一端部９を連結させる左右一対のシャックル２３，２３とを備えたものである。
【００１６】
【発明の実施の形態】
以下、本発明の実施の形態を図面により説明する。
【００１７】
（第１の実施の形態）
【００１８】
図１〜３は、第１の実施の形態を示している。
【００１９】
図２において、符号１は海等の水域、２は海岸の埋立地等の汚濁水の発生水域、３は上記汚濁水の発生水域２に隣接する清浄な水域であり、説明の便宜上、矢印Ｆｒを、ある水平な一方向である前方とし、下記する左右とは、上記前方に向っての方向をいうものとする。
【００２０】
上記汚濁水の発生水域２で生じる汚濁水が、この汚濁水の発生水域２から上記清浄な水域３に拡散しようとすることを防止する水中における汚濁水の拡散防止装置４が設けられている。
【００２１】
上記拡散防止装置４は、水中を浮遊可能に設けられると共に前後方向にかつ上下方向に延びて水中を汚濁水の発生水域２と清浄な水域３とに左右に分断し、前後方向に向って列状に設けられる複数の拡散防止膜６と、前後方向で隣り合う上記両拡散防止膜６，６の各上部の互いの対向部７，７同士を互いに連結する連結手段８と、この連結手段８に一端部９が連結され、他端部１０が水底側に不動状態となるよう設置されたアンカー１１に連結されるロープやチェーンなどの左右索条体１２と、上記各拡散防止膜６の下端部に取り付けられる重り１３とを備えている。
【００２２】
図１，２において、上記拡散防止膜６は、その上端部を構成して前後方向に長く延び上記水域１の水面に浮かべられる浮体１５と、上記拡散防止膜６の下部側を構成し、上記浮体１５に吊り下げられて水中に保持される膜体１６とを備えている。上記浮体１５は樹脂製発泡体等で成形され、上記膜体１６は可撓性の樹脂製シートや、合成繊維で成形されて、全体的な側面形状が矩形とされている。
【００２３】
上記連結手段８は、上記各拡散防止膜６の上端部に位置する各対向部７からそれぞれ左右外側方に向って突出する突出片１９，１９と、左右のそれぞれ前、後突出片１９，１９間に跨って介設される支持片２０と、左右のそれぞれ前、後突出片１９，１９の突出端部に成形された第１貫通孔２１，２１と上記支持片２０の左右各端部に成形された第２貫通孔２２とにそれぞれ挿通されて、これら突出片１９，１９と支持片２０とを互いに連結させ、かつ、上記各索条体１２の一端部９を連結させる左右一対のシャックル２３，２３とを備えている。
【００２４】
上記突出片１９と支持片２０はいずれも金属製（ＳＳ，ＳＵＳなど）である。また、上記各突出片１９の厚さ寸法は互いに同じであるが、上記突出片１９の厚さ寸法よりも上記支持片２０のそれの方がより大きく（好ましくは２倍以上）されている。また、上記突出片１９の強度よりも上記支持片２０のそれの方がより大きくされている。
【００２５】
上記各突出片１９は上記対向部７に複数の固着具２６により固着されている。また、上記シャックル２３はＵ字形状をなすシャックル本体２７と、このシャックル本体２７の一端部に挿通された後、他端部に螺合させられるボルト２８とを備え、このボルト２８が上記各貫通孔２１，２２に挿通されている。また、上記第１、第２貫通孔２１，２２は円形であるが、左右に長い長孔であってもよい。また、上記各索条体１２は上記各シャックル２３から上記拡散防止膜６の外側方、かつ、下方の傾斜方向に向って延びている。上記各突出片１９、支持片２０、およびシャックル２３は適宜、他の新しいものに交換可能とされている。
【００２６】
図１において、上記拡散防止膜６が水流によって左右のいずれかの方向に流動させられて、上記左右シャックル２３，２３のうち、いずれか一方（左方）のシャックル２３と上記拡散防止膜６とが左右方向で互いに「離反」したとき（図１中一点鎖線）、上記各シャックル２３のボルト２８と上記各支持片２０の各第２貫通孔２２の内周面の一部分とがそれぞれ圧接すると共に、他方（右方）のシャックル２３のボルト２８と上記他方（右方）の両突出片１９，１９の第１貫通孔２１，２１の内周面の一部分とがそれぞれ圧接して、それ以上の上記「離反」が阻止されるようになっている。
【００２７】
図３は、上記図１についての説明中、「一方（左方）」を「一方（右方）」と読み替え、「他方（右方）」を「他方（左方）」と読み替えたものを示している。
【００２８】
上記構成のようにしたため、上記拡散防止装置４の拡散防止膜６が水流によって左右のいずれかに流動させられて、上記したように左右シャックル２３，２３のうち、いずれか一方のシャックル２３と上記拡散防止膜６とが左右方向で「離反」したときには、上記各突出片１９、支持片２０、シャックル２３、および索条体１２が上記拡散防止膜６を上記流動とは反対方向に引張してこの流動を規制し、拡散防止膜６を所定位置に係留させる。
【００２９】
そして、上記の場合、シャックル２３は上記各対向部７，７から外側方に突出する突出片１９，１９に連結されているため、上記拡散防止膜６が水流によって左右に揺れ動くとき、この拡散防止膜６に対し上記シャックル２３が接触するということは抑制される。よって、このようなシャックル２３の接触により、上記拡散防止膜６が損耗するということは防止される。
【００３０】
しかも、上記したように、いずれか一方のシャックル２３と上記拡散防止膜６とが「離反」したときには、各シャックル２３のボルト２８と上記各支持片２０の各第２貫通孔２２の内周面とがそれぞれ圧接すると共に、他方のシャックル２３のボルト２８と上記他方の上記両突出片１９，１９の第１貫通孔２１，２１の内周面とが圧接し、これにより、上記拡散防止膜６を引張して、上記流動を規制するため、上記支持片２０の厚さ寸法を十分に大きくしておけば、この支持片２０の各第２貫通孔２２の内周面に上記ボルト２８から与えられる面圧を小さくできて、これら各内周面が上記ボルト２８との圧接により短期で損耗するということは抑制される。また、仮に、この支持片２０の第２貫通孔２２の内周面が大きく損耗したとすれば、この支持片２０を他の新しいものに交換すればよい。一方、上記２つの突出片１９の各第１貫通孔２１の内周面とボルト２８とが圧接する分、上記各突出片１９の各第１貫通孔２１の内周面に上記ボルト２８から与えられる面圧を小さくできて、この内周面が上記ボルト２８との圧接で損耗するということも抑制される。
【００３１】
よって、上記拡散防止装置４の寿命の向上が達成される。
【００３２】
なお、以上は図示の例によるが、対向部７は上記拡散防止膜６の上下方向の中途部など、上下に複数箇所であってもよい。また、上記索条体１２は各シャックル２３にそれぞれ１本を連結するようにしてもよい。また、上記各突出片１９と、支持片２０の厚さ寸法は互いに同じであってもよい。また、上記固着具２６はリベットであってもよい。
【００３３】
以下の各図は、第２〜第４の実施の形態を示している。これら各実施の形態は、前記第１の実施の形態と構成、作用効果において多くの点で共通している。そこで、これら共通するものについては、図面に共通の符号を付してその重複した説明を省略し、異なる点につき主に説明する。また、これら各実施の形態における各部分の構成を、本発明の課題、作用効果に照らして種々組み合せてもよい。
【００３４】
（第２の実施の形態）
【００３５】
図４，５は、第２の実施の形態を示している。
【００３６】
図４において、上記左右シャックル２３，２３のうち、いずれか一方（左方）のシャックル２３と上記拡散防止膜６とが左右方向で互いに「離反」したとき（図３中一点鎖線）、上記各シャックル２３のボルト２８と各第２貫通孔２２の内周面とがそれぞれ圧接すると共に、他方（右方）の上記両突出片１９，１９の各一部分３１である突出端面に、上記支持片２０の一部分３２である端部がそれぞれ圧接して、それ以上の上記「離反」が阻止されるようになっている。
【００３７】
図５は、上記図４についての説明中、「一方（左方）」を「一方（右方）」と読み替え、「他方（右方）」を「他方（左方）」と読み替えたものを示している。
【００３８】
上記の場合、支持片２０は、２枚の板材３３，３３を互いに重ね合わせて互いに結合することにより成形され、これら各板材３３，３３の各端部が互いに反対方向に屈曲させられて上記一部分３２が成形されている。なお、上記両板材３３，３３は一体成形してもよい。
【００３９】
上記のように構成したため、上記拡散防止装置４の拡散防止膜６が水流によって左右のいずれかに流動させられて、上記したように左右シャックル２３，２３のうち、いずれか一方のシャックル２３と上記拡散防止膜６とが左右方向で「離反」したときには、上記各突出片１９、支持片２０、シャックル２３、および索条体１２が上記拡散防止膜６を上記流動とは反対方向に引張してこの流動を規制し、拡散防止膜６を所定位置に係留させる。
【００４０】
そして、上記の場合、シャックル２３は上記各対向部７，７から外側方に突出する突出片１９，１９に連結されているため、上記拡散防止膜６が水流によって左右に揺れ動くとき、この拡散防止膜６に対し上記シャックル２３が接触するということは抑制される。よって、このようなシャックル２３の接触により、上記拡散防止膜６が損耗するということは防止される。
【００４１】
しかも、上記したように、いずれか一方のシャックル２３と上記拡散防止膜６とが「離反」したときには、各シャックル２３のボルト２８と上記各支持片２０の各第２貫通孔２２の内周面とがそれぞれ圧接すると共に、両突出片１９，１９の各一部分３１，３１に上記支持片２０の一部分３２がそれぞれ圧接し、これにより、上記拡散防止膜６を引張して、上記流動を規制するため、上記支持片２０の厚さ寸法を十分に大きくしておけば、この支持片２０の各第２貫通孔２２の内周面に上記ボルト２８から与えられる面圧を小さくできて、これら各内周面が上記ボルト２８との圧接により短期で損耗するということは抑制される。また、仮に、この支持片２０の第２貫通孔２２の内周面が大きく損耗したとすれば、この支持片２０を他の新しいものに交換すればよい。一方、上記２つの突出片１９，１９と支持片２０とがそれぞれ圧接する分、これら圧接部の各面圧を小さくできて、これら各突出片１９と支持片２０とが上記圧接により、短期で損耗するということは抑制される。また、仮に、上記支持片２０が大きく損耗したとすれば、この支持片２０を他の新しいものに交換すればよい。
【００４２】
よって、上記拡散防止装置４の寿命の向上が達成される。
【００４３】
（第３の実施の形態）
【００４４】
図６は、第３の実施の形態を示している。
【００４５】
これによれば、拡散防止装置４は、上記両突出片１９，１９と支持片２０とを互いに着脱可能に固着する締結具である左右一対の固着具３６，３６と、上記支持片２０の左右各端部に着脱可能に連結されると共に、上記索条体１２の一端部９を連結させる左右一対のシャックル２３，２３とを備えている。
【００４６】
上記のように構成したため、上記拡散防止装置４の拡散防止膜６が水流によって左右のいずれかに流動させられようとしても、上記各突出片１９、支持片２０、固着具３６、シャックル２３、および索条体１２が上記拡散防止膜６を上記流動とは反対方向に引張してこの流動を規制し、拡散防止膜６を所定位置に係留させる。
【００４７】
そして、上記の場合、シャックル２３は上記各対向部７，７から外側方に突出する突出片１９，１９に連結されているため、上記拡散防止膜６が水流によって左右に揺れ動くとき、この拡散防止膜６に対し上記シャックル２３が接触するということは抑制される。よって、このようなシャックル２３の接触により、上記拡散防止膜６が損耗するということは防止される。
【００４８】
しかも、上記支持片２０と各シャックル２３との摩擦接合で、上記支持片２０やシャックル２３が損耗したときには、上記支持片２０とシャックル２３とは他の新しいものに交換すればよい。
【００４９】
よって、上記拡散防止装置４の寿命の向上が達成される。
【００５０】
なお、上記支持片２０は、互いに別体の左右一対の板材で構成してもよい。
【００５１】
（第４の実施の形態）
【００５２】
図７は、第４の実施の形態を示している。
【００５３】
これによれば、上記シャックル２３のボルト２８には円形のパイプ材３９が外嵌されている。つまり、上記第２貫通孔２２の内周面とシャックル２３のボルト２８との間には、他の新しいものと交換可能なパイプ材３９が介設されている。このパイプ材３９は、前記第１〜第３の実施の形態に適用可能であり、つまり、上記第１、第２貫通孔２１，２２の各内周面と各ボルト２８とは上記パイプ材３９を介し間接的に圧接するようにしてもよい。
【００５４】
【発明の効果】
本発明による効果は、次の如くである。
【００５５】
請求項１の発明は、水中を浮遊可能に設けられると共に前後方向にかつ上下方向に延びて水中を左右に分断し、前後方向に向って列状に設けられる複数の拡散防止膜と、前後方向で隣り合う上記拡散防止膜の互いの対向部同士を互いに連結する連結手段と、この連結手段に一端部が連結され、他端部が水底側に連結される索条体とを備えた水中における汚濁水の拡散防止装置において、
【００５６】
上記連結手段が、上記各対向部からそれぞれ左右外側方に突出する突出片と、左右のそれぞれ前、後突出片間に跨って介設される支持片と、左右のそれぞれ前、後突出片に成形された第１貫通孔と上記支持片の左右各端部に成形された第２貫通孔とにそれぞれ挿通されるボルトを有して上記索条体の一端部を連結させる左右一対のシャックルとを備え、これら左右シャックルのうち、いずれか一方のシャックルと上記拡散防止膜とが左右方向で離反したとき、上記各シャックルのボルトと各第２貫通孔の内周面とがそれぞれ圧接すると共に、他方のシャックルのボルトと両第１貫通孔の内周面とがそれぞれ圧接して、それ以上の上記離反が阻止されるようにしてある。
【００５７】
このため、上記拡散防止装置の拡散防止膜が水流によって左右のいずれかに流動させられて、上記したように左右シャックルのうち、いずれか一方のシャックルと上記拡散防止膜とが左右方向で「離反」したときには、上記各突出片、支持片、シャックル、および索条体が上記拡散防止膜を上記流動とは反対方向に引張してこの流動を規制し、拡散防止膜を所定位置に係留させる。
【００５８】
そして、上記の場合、シャックルは上記各対向部から外側方に突出する突出片に連結されているため、上記拡散防止膜が水流によって左右に揺れ動くとき、この拡散防止膜に対し上記シャックルが接触するということは抑制される。よって、このようなシャックルの接触により、上記拡散防止膜が損耗するということは防止される。
【００５９】
しかも、上記したように、いずれか一方のシャックルと上記拡散防止膜とが「離反」したときには、各シャックルのボルトと上記各支持片の各第２貫通孔の内周面とがそれぞれ圧接すると共に、他方のシャックルのボルトと上記他方の上記両突出片の第１貫通孔の内周面とが圧接し、これにより、上記拡散防止膜を引張して、上記流動を規制するため、上記支持片の厚さ寸法を十分に大きくしておけば、この支持片の各第２貫通孔の内周面に上記ボルトから与えられる面圧を小さくできて、これら各内周面が上記ボルトとの圧接により短期で損耗するということは抑制される。また、仮に、この支持片の第２貫通孔の内周面が大きく損耗したとすれば、この支持片を他の新しいものに交換すればよい。一方、上記２つの突出片の各第１貫通孔の内周面とボルトとが圧接する分、上記各突出片の各第１貫通孔の内周面に上記ボルトから与えられる面圧を小さくできて、この内周面が上記ボルトとの圧接で損耗するということも抑制される。
【００６０】
よって、上記拡散防止装置の寿命の向上が達成される。
【００６１】
請求項２の発明は、水中を浮遊可能に設けられると共に前後方向にかつ上下方向に延びて水中を左右に分断し、前後方向に向って列状に設けられる複数の拡散防止膜と、前後方向で隣り合う上記拡散防止膜の互いの対向部同士を互いに連結する連結手段と、この連結手段に一端部が連結され、他端部が水底側に連結される索条体とを備えた水中における汚濁水の拡散防止装置において、
【００６２】
上記連結手段が、上記各対向部からそれぞれ左右外側方に突出する突出片と、左右のそれぞれ前、後突出片間に跨って介設される支持片と、左右のそれぞれ前、後突出片に成形された第１貫通孔と上記支持片の左右各端部に成形された第２貫通孔とにそれぞれ挿通されるボルトを有して上記索条体の一端部を連結させる左右一対のシャックルとを備え、これら左右シャックルのうち、いずれか一方のシャックルと上記拡散防止膜とが左右方向で離反したとき、上記各シャックルのボルトと各第２貫通孔の内周面とがそれぞれ圧接すると共に、他方の上記両突出片の各一部分に上記支持片の一部分がそれぞれ圧接して、それ以上の上記離反が阻止されるようにしてある。
【００６３】
このため、上記拡散防止装置の拡散防止膜が水流によって左右のいずれかに流動させられて、上記したように左右シャックルのうち、いずれか一方のシャックルと上記拡散防止膜とが左右方向で「離反」したときには、上記各突出片、支持片、シャックル、および索条体が上記拡散防止膜を上記流動とは反対方向に引張してこの流動を規制し、拡散防止膜を所定位置に係留させる。
【００６４】
そして、上記の場合、シャックルは上記各対向部から外側方に突出する突出片に連結されているため、上記拡散防止膜が水流によって左右に揺れ動くとき、この拡散防止膜に対し上記シャックルが接触するということは抑制される。よって、このようなシャックルの接触により、上記拡散防止膜が損耗するということは防止される。
【００６５】
しかも、上記したように、いずれか一方のシャックルと上記拡散防止膜とが「離反」したときには、各シャックルのボルトと上記各支持片の各第２貫通孔の内周面とがそれぞれ圧接すると共に、両突出片の各一部分に上記支持片の一部分がそれぞれ圧接し、これにより、上記拡散防止膜を引張して、上記流動を規制するため、上記支持片の厚さ寸法を十分に大きくしておけば、この支持片の各第２貫通孔の内周面に上記ボルトから与えられる面圧を小さくできて、これら各内周面が上記ボルトとの圧接により短期で損耗するということは抑制される。また、仮に、この支持片の第２貫通孔の内周面が大きく損耗したとすれば、この支持片を他の新しいものに交換すればよい。一方、上記２つの突出片と支持片とがそれぞれ圧接する分、これら圧接部の各面圧を小さくできて、これら各突出片と支持片とが上記圧接により、短期で損耗するということは抑制される。また、仮に、上記支持片が大きく損耗したとすれば、この支持片を他の新しいものに交換すればよい。
【００６６】
よって、上記拡散防止装置の寿命の向上が達成される。
【００６７】
請求項３の発明は、水中を浮遊可能に設けられると共に前後方向にかつ上下方向に延びて水中を左右に分断し、前後方向に向って列状に設けられる複数の拡散防止膜と、前後方向で隣り合う上記拡散防止膜の互いの対向部同士を互いに連結する連結手段と、この連結手段に一端部が連結され、他端部が水底側に連結される索条体とを備えた水中における汚濁水の拡散防止装置において、
【００６８】
上記連結手段が、上記各対向部からそれぞれ左右外側方に突出する突出片と、左右のそれぞれ前、後突出片間に介設される支持片と、上記両突出片と支持片とを互いに着脱可能に固着する固着具と、上記支持片の左右各端部に着脱可能に連結されると共に、上記索条体の一端部を連結させる左右一対のシャックルとを備えている。
【００６９】
このため、上記拡散防止装置の拡散防止膜が水流によって左右のいずれかに流動させられようとしても、上記各突出片、支持片、固着具、シャックル、および索条体が上記拡散防止膜を上記流動とは反対方向に引張してこの流動を規制し、拡散防止膜を所定位置に係留させる。
【００７０】
そして、上記の場合、シャックルは上記各対向部から外側方に突出する突出片に連結されているため、上記拡散防止膜が水流によって左右に揺れ動くとき、この拡散防止膜に対し上記シャックルが接触するということは抑制される。よって、このようなシャックルの接触により、上記拡散防止膜が損耗するということは防止される。
【００７１】
しかも、上記支持片と各シャックルとの摩擦接合で、上記支持片やシャックルが損耗したときには、上記支持片とシャックルとは他の新しいものに交換すればよい。
【００７２】
よって、上記拡散防止装置の寿命の向上が達成される。
【図面の簡単な説明】
【図１】第１の実施の形態で、図２の１‐１線矢視断面図である。
【図２】第１の実施の形態で、拡散防止装置の部分側面図である。
【図３】第１の実施の形態で、図２に相当する図で作用説明図である。
【図４】第２の実施の形態で、図１に相当する図である。
【図５】第２の実施の形態で、図３に相当する図である。
【図６】第３の実施の形態で、図１に相当する図である。
【図７】第４の実施の形態で、図１に相当する図である。
【符号の説明】
１      水域
２      汚濁水の発生水域
３      清浄な水域
４      拡散防止装置
６      拡散防止膜
７      対向部
８      連結手段
９      一端部
１０    他端部
１１    アンカー
１２    索条体
１５    浮体
１６    膜体
１９    突出片
２０    支持片
２１    第１貫通孔
２２    第２貫通孔
２３    シャックル
２７    シャックル本体
２８    ボルト
３１    一部分
３２    一部分
３６    固着具
３９    パイプ材
【図１】
0003717898.tif 000002
【図２】
0003717898.tif 000003
【図３】
0003717898.tif 000004
【図４】
0003717898.tif 000005
【図５】
0003717898.tif 000006
【図６】
0003717898.tif 000007
【図７】
0003717898.tif 000008